(57)【要約】【課題】アプリケーション起動操作の対象となるオブジェクトに対応するアプリケーションやファイルの情報を、アプリケーションを起動することなく把握できるようにする。【解決手段】タッチパネル１１と、アプリケーションを起動させるための起動操作の対象となる起動用オブジェクトをタッチパネル１１に表示する起動用オブジェクト表示部１２と、起動用オブジェクト上でタッチ位置を所定の方向にスライドさせるタッチ操作であって、起動操作とは異なるタッチ操作であるめくる操作を受付ける受付部１３と、受付部１３が第１のアプリケーションに対応する第１の起動用オブジェクトに対するめくる操作を受付けると、第１のアプリケーションに関連する関連情報をタッチパネル１１に表示する関連情報表示部１４とを有する電子機器１０。【選択図】図２
2015049684.tif 000002
【特許請求の範囲】
【請求項１】
タッチパネルと、
アプリケーションを起動させるための起動操作の対象となる起動用オブジェクトを前記タッチパネルに表示する起動用オブジェクト表示手段と、
前記起動用オブジェクト上でタッチ位置を所定の方向にスライドさせるタッチ操作であって、前記起動操作とは異なるタッチ操作であるめくる操作を受付ける受付手段と、
前記受付手段が第１の前記アプリケーションに対応する第１の前記起動用オブジェクトに対する前記めくる操作を受付けると、前記第１のアプリケーションに関連する関連情報を前記タッチパネルに表示する関連情報表示手段と、
を有する電子機器。
【請求項２】
請求項１に記載の電子機器において、
前記第１のアプリケーションに関連する前記関連情報が前記タッチパネルに表示されている状態で、前記受付手段が前記第１の起動用オブジェクトに対する前記めくる操作を受付けると、
前記関連情報表示手段は、それに応じて、前記タッチパネルに表示する前記関連情報を、前記第１のアプリケーションに関連する他の前記関連情報に変更する電子機器。
【請求項３】
請求項２に記載の電子機器において、
前記アプリケーションは、ユーザから受付けた入力内容をファイル単位で保存可能であり、
前記関連情報表示手段は、前記ファイルの前記入力内容及び／又は属性情報に基づいて生成される複数の前記関連情報を前記タッチパネルに表示し、
前記第１のファイルに基づいた前記関連情報が前記タッチパネルに表示されている状態で、前記受付手段が前記第１の起動用オブジェクトに対する前記めくる操作を受付けると、前記関連情報表示手段は、それに応じて、前記タッチパネルに表示する前記関連情報を、前記第１のファイルとは異なる第２の前記ファイルに基づいた前記関連情報に変更する電子機器。
【請求項４】
請求項１から３のいずれか１項に記載の電子機器において、
前記関連情報表示手段は、
前記受付手段が前記第１の起動用オブジェクトに対する第１の方向の前記めくる操作を受付けた場合、第１の前記関連情報を表示し、
前記受付手段が前記第１の起動用オブジェクトに対する前記第１の方向と異なる第２の方向の前記めくる操作を受付けた場合、前記第１の関連情報と異なる第２の前記関連情報を表示する電子機器。
【請求項５】
請求項１から４のいずれか１項に記載の電子機器において、
前記受付手段が前記第１の起動用オブジェクトに対する所定の方向の前記めくる操作を受付けると、前記関連情報表示手段は、前記第１のアプリケーションに関連する複数の関連情報を、前記タッチパネルに一覧表示する電子機器。
【請求項６】
請求項１から５のいずれか１項に記載の電子機器において、
前記関連情報表示手段は、前記受付手段が前記めくる操作を受付けると、前記タッチパネル上に前記第１の起動用オブジェクトと共に表示されている他の前記起動用オブジェクトを特定し、特定した内容に基づいて、前記タッチパネルに表示する前記関連情報を決定する電子機器。
【請求項７】
請求項６に記載の電子機器において、
前記関連情報表示手段は、前記第１の起動用オブジェクトと、前記他の起動用オブジェクトとを識別可能な前記関連情報を、前記タッチパネルに表示するよう決定する電子機器。
【請求項８】
請求項１から７のいずれか１項に記載の電子機器において、
前記関連情報表示手段は、前記第１のアプリケーションに関連する複数の前記関連情報を階層構造化し、前記受付手段が前記めくる操作を受付けると、以下の（１）及び（２）のルールに従い前記階層構造内を移動した後の前記関連情報を特定し、特定した前記関連情報を前記タッチパネルに表示する電子機器。
（１）前記階層構造の中の所定の位置を初期位置とする。
（２）前記初期位置から、前記めくる操作のスライド方向に応じた所定の方向に移動する。
【請求項９】
請求項８に記載の電子機器において、
前記関連情報表示手段は、複数の前記関連情報を複数のグループに分類することで複数の前記関連情報を階層構造化し、前記受付手段が前記めくる操作を受付けると、さらに以下の（３）及び（４）のルールに従い前記階層構造内を移動した後の前記関連情報を特定し、特定した前記関連情報を前記タッチパネルに表示する電子機器。
（３）前記受付手段が第３の方向の前記めくる操作を受付けた場合、前記グループ間を移動する。
（４）前記受付手段が前記第３の方向と異なる第４の方向の前記めくる操作を受付けた場合、前記グループ内を移動する。
【請求項１０】
請求項９に記載の電子機器において、
前記アプリケーションは、ユーザから受付けた入力内容をファイル単位で保存可能であり、
前記関連情報表示手段は、前記ファイルの前記入力内容及び／又は属性情報に基づいて生成される複数の前記関連情報を前記ファイル単位でグループ化することで複数の前記関連情報を階層構造化する電子機器。
【請求項１１】
請求項１から１０のいずれか１項に記載の電子機器において、
前記起動用オブジェクトに対する前記起動操作を受付けると、当該起動用オブジェクトに対応する前記アプリケーションを起動させるアプリケーション管理手段をさらに有し、
前記アプリケーション管理手段は、前記第１のアプリケーションに関連する前記関連情報が前記タッチパネルに表示されている状態で、前記第１の起動用オブジェクトに対する前記起動操作を受付けると、前記タッチパネルに表示されている前記関連情報に関係する部分にフォーカスをあてた状態で、前記第１のアプリケーションを起動する電子機器。
【請求項１２】
請求項１０に従属する請求項１１に記載の電子機器において、
前記アプリケーション管理手段は、前記第１のアプリケーションの第１の前記ファイルに関連する前記関連情報が前記タッチパネルに表示されている状態で、前記第１の起動用オブジェクトに対する前記起動操作を受付けると、前記第１のファイルを開いた状態で前記第１のアプリケーションを起動する電子機器。
【請求項１３】
請求項１から１２のいずれか１項に記載の電子機器において、
前記関連情報表示手段は、前記受付手段がタッチ位置を所定の距離以上スライドさせる前記めくる操作を受付けると、前記タッチパネルに表示されているすべての前記起動用オブジェクトに対応する複数の前記アプリケーションに関連する前記関連情報を、前記タッチパネルに表示する電子機器。
【請求項１４】
タッチパネルを有する電子機器のコンピュータが、
アプリケーションを起動させるための起動操作の対象となる起動用オブジェクトを前記タッチパネルに表示する起動用オブジェクト表示工程と、
前記起動用オブジェクト上でタッチ位置を所定の方向にスライドさせるタッチ操作であって、前記起動操作とは異なるタッチ操作であるめくる操作を受付ける受付工程と、
前記受付工程で第１の前記アプリケーションに対応する第１の前記起動用オブジェクトに対する前記めくる操作を受付けると、前記第１のアプリケーションに関連する関連情報を前記タッチパネルに表示する関連情報表示工程と、
を実行する電子機器の制御方法。
【請求項１５】
タッチパネルを有する電子機器のコンピュータを、
アプリケーションを起動させるための起動操作の対象となる起動用オブジェクトを前記タッチパネルに表示する起動用オブジェクト表示手段、
前記起動用オブジェクト上でタッチ位置を所定の方向にスライドさせるタッチ操作であって、前記起動操作とは異なるタッチ操作であるめくる操作を受付ける受付手段、
前記受付手段が第１の前記アプリケーションに対応する第１の前記起動用オブジェクトに対する前記めくる操作を受付けると、前記第１のアプリケーションに関連する関連情報を前記タッチパネルに表示する関連情報表示手段、
として機能させるためのプログラム。
【発明の詳細な説明】
【技術分野】
【０００１】
本発明は、電子機器、電子機器の制御方法及びプログラムに関する。
【背景技術】
【０００２】
タッチパネルを介してタッチ操作を受付ける技術がある。特許文献１及び２に関連する技術が開示されている。
【０００３】
特許文献１には、スクロールが可能な少なくとも１つ以上の項目が配置される領域を出力する段階と、第1タッチイベントが発生し、それにより特定項目を指定する段階と、前記スクロールが発生しない一定範囲内で前記指定された特定項目に第２タッチイベントが発生したか否かを判断する段階と、前記第２タッチイベントの発生に従って前記指定された特定項目に対応するイメージの色と形状の内の少なくとも１つを変更して表示する段階とを有する携帯端末の操作方法が開示されている。
【０００４】
特許文献２には、タッチスクリーンに表示される待ち受け画面の一側面に複数のアイコンが配列されたツールバーを提供し、アイコンがドラッグされて表示部の主画面に位置すると当該機能が活性化される携帯端末機のユーザインタフェイス装置が開示されている。
【先行技術文献】
【特許文献】
【０００５】
【特許文献１】特表２０１２−５２７６８５号公報
【特許文献２】特開２０１３−１０１６３０号公報
【発明の概要】
【発明が解決しようとする課題】
【０００６】
スマートフォンやタブレット端末等、タッチパネルを介してタッチ操作を受付ける電子機器が広く普及している。これらの電子機器の中には、ユーザ操作により多種多様なアプリケーションをインストール可能に構成されたものがある。
【０００７】
インストールされたアプリケーションを起動させる手法として、ダブルタップ等の起動操作の対象となるオブジェクト（例：アイコン）を利用したものが広く普及している。
【０００８】
例えば、電子機器は、起動操作（例：ダブルタップ）の対象となる１つ又は複数のオブジェクト（例：アイコン）を画面（例：待受画面）に表示する。ユーザは、画面に表示されているオブジェクト（例：アイコン）の中から、起動したいアプリケーションに対応するオブジェクト（例：アイコン）を特定する。そして、ユーザは、特定したオブジェクト（例：アイコン）に対して所定の起動操作（例：ダブルタップ）を行う。電子機器は、オブジェクト（例：アイコン）に対する起動操作（例：ダブルタップ）を受付けると、そのオブジェクトに対応するアプリケーションを起動する。
【０００９】
アプリケーションの中には、ユーザが入力した内容をファイル単位で保存可能に構成されたものがある。そして、このようなアプリケーションの中には、各ファイルに対応したオブジェクト（例：アイコン）を画面に表示し、それらに対する起動操作（例：ダブルタップ）を受付けることができるように構成されたものがある。あるファイルに対応したオブジェクト（例：アイコン）に対する起動操作（例：ダブルタップ）を受付けた場合、そのアプリケーションが起動され、そのファイルを開いた状態のユーザインタフェイスが画面表示される。
【００１０】
ところで、世の中に普及しているアプリケーションの数及び種類は増加傾向にある。これに伴い、各ユーザが自分の端末装置にインストールするアプリケーションの数及び種類も増加傾向にある。かかる場合、画面に表示されるオブジェクト（例：アイコン）の数も増加し得る。結果、ユーザが、各オブジェクト（例：アイコン）とアプリケーションとの対応関係を明確に把握できないという問題が発生し得る。なお、不明なオブジェクト（例：アイコン）に対して起動操作（例：ダブルタップ）を行い、そのオブジェクト（例：アイコン）に対応するアプリケーションを起動すれば、そのオブジェクト（例：アイコン）に対応するアプリケーションは明らかになる。しかし、オブジェクト（例：アイコン）とアプリケーションとの対応関係を把握するために、わざわざアプリケーションを起動するのは面倒であるほか、時間の無駄である。
【００１１】
同様に、多数のファイル各々に対応する多数のオブジェクト（例：アイコン）が画面に表示されることで、ユーザが各ファイルを識別できなくなる恐れがある。各ファイルに対応するオブジェクト（例：アイコン）にはファイル名等が対応付けて表示され得るが、表示可能な情報量は限られているため、それらを識別するために十分な情報を表示できない場合がある。この場合も、不明なオブジェクトに対して起動操作を行い、そのオブジェクトに対応するアプリケーションを起動するとともにファイルを開けば、そのオブジェクトに対応するファイルが明らかになる。しかし、このような操作は手間であるとともに、時間の無駄である。
【００１２】
本発明は、アプリケーション起動操作の対象となるオブジェクトに対応するアプリケーションやファイルの情報を、アプリケーションを起動することなく把握できるようにするための技術を提供することを課題とする。
【課題を解決するための手段】
【００１３】
本発明によれば、
タッチパネルと、
アプリケーションを起動させるための起動操作の対象となる起動用オブジェクトを前記タッチパネルに表示する起動用オブジェクト表示手段と、
前記起動用オブジェクト上でタッチ位置を所定の方向にスライドさせるタッチ操作であって、前記起動操作とは異なるタッチ操作であるめくる操作を受付ける受付手段と、
前記受付手段が第１の前記アプリケーションに対応する第１の前記起動用オブジェクトに対する前記めくる操作を受付けると、前記第１のアプリケーションに関連する関連情報を前記タッチパネルに表示する関連情報表示手段と、
を有する電子機器が提供される。
【００１４】
また、本発明によれば、
タッチパネルを有する電子機器のコンピュータが、
アプリケーションを起動させるための起動操作の対象となる起動用オブジェクトを前記タッチパネルに表示する起動用オブジェクト表示工程と、
前記起動用オブジェクト上でタッチ位置を所定の方向にスライドさせるタッチ操作であって、前記起動操作とは異なるタッチ操作であるめくる操作を受付ける受付工程と、
前記受付工程で第１の前記アプリケーションに対応する第１の前記起動用オブジェクトに対する前記めくる操作を受付けると、前記第１のアプリケーションに関連する関連情報を前記タッチパネルに表示する関連情報表示工程と、
を実行する電子機器の制御方法が提供される。
【００１５】
また、本発明によれば、
タッチパネルを有する電子機器のコンピュータを、
アプリケーションを起動させるための起動操作の対象となる起動用オブジェクトを前記タッチパネルに表示する起動用オブジェクト表示手段、
前記起動用オブジェクト上でタッチ位置を所定の方向にスライドさせるタッチ操作であって、前記起動操作とは異なるタッチ操作であるめくる操作を受付ける受付手段、
前記受付手段が第１の前記アプリケーションに対応する第１の前記起動用オブジェクトに対する前記めくる操作を受付けると、前記第１のアプリケーションに関連する関連情報を前記タッチパネルに表示する関連情報表示手段、
として機能させるためのプログラムが提供される。
【発明の効果】
【００１６】
本発明によれば、アプリケーション起動操作の対象となるオブジェクトに対応するアプリケーションやファイルの情報を、アプリケーションを起動することなく把握できるようになる。
【図面の簡単な説明】
【００１７】
【図１】本実施形態の電子機器のハードウエア構成の一例を概念的に示す図である。
【図２】本実施形態の電子機器の機能ブロック図の一例を示す図である。
【図３】本実施形態の電子機器が関連情報を表示する処理の一例を示す図である。
【図４】本実施形態の電子機器が関連情報を表示する処理の一例を示す図である。
【図５】本実施形態の電子機器の機能ブロック図の一例を示す図である。
【図６】本実施形態の電子機器が関連情報を表示する処理の一例を示す図である。
【図７】本実施形態の電子機器が関連情報を表示する処理の一例を示す図である。
【図８】本実施形態の電子機器が関連情報を表示する処理の一例を示す図である。
【図９】本実施形態の電子機器が関連情報を表示する処理の一例を示す図である。
【図１０】本実施形態の電子機器が関連情報を表示する処理の一例を示す図である。
【図１１】本実施形態の電子機器が関連情報を表示する処理の一例を示す図である。
【図１２】本実施形態の電子機器が関連情報を表示する処理の一例を示す図である。
【図１３】本実施形態の電子機器が関連情報を階層構造化して表示する処理の一例を示す図である。
【図１４】本実施形態の電子機器が関連情報を階層構造化して表示する処理の一例を示す図である。
【図１５】本実施形態の電子機器が関連情報を階層構造化して表示する処理の一例を示す図である。
【図１６】本実施形態の電子機器が関連情報を表示する処理の一例を示す図である。
【発明を実施するための形態】
【００１８】
まず、本実施形態の電子機器のハードウエア構成の一例について説明する。
【００１９】
本実施形態の電子機器は、可搬型の装置であってもよいし、据置型の装置であってもよい。本実施形態の電子機器が備える各部は、任意のコンピュータのＣＰＵ（Central Processing Unit）、メモリ、メモリにロードされたプログラム（あらかじめ装置を出荷する段階からメモリ内に格納されているプログラムのほか、ＣＤ（Compact Disc）等の記憶媒体やインターネット上のサーバ等からダウンロードされたプログラムも含む）、そのプログラムを格納するハードディスク等の記憶ユニット、ネットワーク接続用インターフェイスを中心にハードウエアとソフトウエアの任意の組合せによって実現される。そして、その実現方法、装置にはいろいろな変形例があることは、当業者には理解されるところである。
【００２０】
図１は、本実施形態の電子機器のハードウエア構成の一例を概念的に示す図である。図示するように、本実施形態の装置は、例えば、バス１０Ａで相互に接続されるＣＰＵ１Ａ、ＲＡＭ（Random Access Memory）２Ａ、ＲＯＭ（Read Only Memory）３Ａ、表示制御部４Ａ、第１操作受付部５Ａ、タッチパネル６Ａ、第２操作受付部７Ａ、操作部８Ａ、補助記憶装置９Ａ等を有する。なお、図示しないが、その他、外部機器と有線で接続される入出力Ｉ／Ｆや、外部機器と有線及び／又は無線で通信するための通信部や、マイクや、スピーカ等の他の要素を備えてもよい。
【００２１】
ＣＰＵ１Ａは各要素とともに電子機器のコンピュータ全体を制御する。ＲＯＭ３Ａは、コンピュータを動作させるためのプログラムや各種アプリケーションプログラム、それらのプログラムが動作する際に使用する各種設定データなどを記憶する領域を含む。ＲＡＭ２Ａは、プログラムが動作するための作業領域など一時的にデータを記憶する領域を含む。補助記憶装置９Ａは大量のデータを記憶可能であり、例えば磁気記憶のハードディスクであってもよい。
【００２２】
タッチパネル６Ａは、表示装置（ＬＥＤ（Light Emitting Diode）表示器、液晶ディスプレイ、有機ＥＬ（Electro Luminescence）ディスプレイ等）と、タッチパッドとが一体になっている。表示制御部４Ａは、ＶＲＡＭ（Video RAM）に記憶されたデータを読み出し、読み出したデータに対して所定の処理を施した後、タッチパネル６Ａに送って各種画面表示を行う。第１操作受付部５Ａは、タッチパネル６Ａを介して複数種類のタッチ操作を受付ける。すなわち、第１操作受付部５Ａは、タッチパネル６Ａに対する所定のオブジェクト（例：指）のタッチを検出すると、検出したタッチの位置、その後の移動方向及び移動量、第１のタッチから第２のタッチまでの時間等を算出し、算出結果に基づいて入力されたタッチ操作の種類等を特定する。
【００２３】
操作部８Ａは、操作キー、操作ボタン、スイッチ、ジョグダイヤルなどを含む。第２操作受付部７Ａは、ユーザが操作部８Ａを操作することでなされるユーザ入力を受付ける。
【００２４】
以下、本実施の形態について説明する。なお、以下の実施形態の説明において利用する機能ブロック図は、ハードウエア単位の構成ではなく、機能単位のブロックを示している。これらの図においては、各装置は１つの機器により実現されるよう記載されているが、その実現手段はこれに限定されない。すなわち、物理的に分かれた構成であっても、論理的に分かれた構成であっても構わない。
【００２５】
＜第１の実施形態＞
図２に、電子機器１０の機能ブロック図の一例を示す。図示するように、電子機器１０は、タッチパネル１１と、起動用オブジェクト表示部１２と、受付部１３と、関連情報表示部１４とを有する。以下、各部について説明する。
【００２６】
タッチパネル１１は、表示装置とタッチパッドとが一体となっており、情報を表示するとともに、入力操作を受付ける。
【００２７】
表示部（不図示）は、タッチパネル１１に情報を表示する。例えば、表示部は、ＶＲＡＭに記憶されたデータを読み出し、読み出したデータに対して所定の処理を施した後、タッチパネル１１に送って各種情報の画面表示を行う。
【００２８】
タッチ操作受付部は、タッチパネル１１を介して複数種類のタッチ操作を受付ける。タッチ操作は、シングルタップ操作、ダブルタップ操作、ドラッグ操作、スワイプ操作、フリック操作、ピンチイン操作、ピンチアウト操作、ホールド操作等である。
【００２９】
タッチ操作受付部は、タッチパネル１１をタッチしたこと、タッチを解除したこと、タッチを維持（ホールド）していること、タッチを維持したままタッチ位置をスライドしたこと、タッチした位置、タッチを解除した位置、タッチを維持した時間、タッチ位置をスライドした方向、タッチ位置をスライドした距離、タッチ位置をスライドした速度等を検知及び算出する。そして、タッチ操作受付部は、検知及び算出した内容に基づいて、入力されたタッチ操作の種類、及び、各タッチ操作の内容を特定するための付属情報（例：タッチ位置、タッチを解除した位置、タッチ位置をスライドした方向、タッチ位置をスライドした距離、タッチ位置をスライドした速度等）を特定する。
【００３０】
起動用オブジェクト表示部１２は、電子機器１０にインストールされているアプリケーションを起動させるための起動操作の対象となる起動用オブジェクトをタッチパネル１１に表示する。アプリケーションを電子機器１０にインストールした際、当該アプリケーションに対応する起動用オブジェクトのデータも電子機器１０内に記憶される。そして、起動用オブジェクト表示部１２は、当該データを利用して、各アプリケーションに対応した起動用オブジェクトの表示を実現する。
【００３１】
起動用オブジェクトは、複数のアプリケーション各々を識別するため、文字、数字、図形、写真などで構成された所定のデザインを有する。デザインの詳細はアプリケーションの開発者や提供者が決定する事項である。起動用オブジェクトは、例えば、いわゆるアイコンであってもよい。
【００３２】
起動用オブジェクト表示部１２は、１つの起動用オブジェクトをタッチパネル１１に表示してもよいし、複数の起動用オブジェクトを同時にタッチパネル１１に表示してもよい。起動用オブジェクト表示部１２は、いわゆる待受画面やデスクトップ画面に起動用オブジェクトを表示してもよいし、その他の画面に起動用オブジェクトを表示してもよい。起動操作の詳細は特段制限されないが、例えば、起動用オブジェクトに対するダブルタップ操作であってもよい。
【００３３】
受付部１３は、起動用オブジェクト上（タッチパネル１１において起動用オブジェクトが表示されてる領域上）でタッチ位置を所定の方向にスライドさせるタッチ操作（めくる操作）を受付ける。めくる操作は、起動操作とは異なる内容のタッチ操作である。このため、起動用オブジェクトに対するめくる操作により、当該起動用オブジェクトに対応するアプリケーションが起動することはない。本実施形態において、めくる操作におけるタッチ位置のスライド方向（以下、「めくる方向」）やスライド距離は設計的事項である。
【００３４】
関連情報表示部１４は、受付部１３が第１のアプリケーションに対応する第１の起動用オブジェクトに対するめくる操作を受付けると、第１のアプリケーションに関連する関連情報をタッチパネル１１に表示する。
【００３５】
関連情報の内容としては、例えば、アプリケーションの名称、機能、バージョン、カテゴリ、作成者、インストール日時、最後に起動した日時などであってもよい。また、第１の起動用オブジェクトが、アプリケーションで保存されたファイル各々に対応したものである場合、関連情報の内容は、例えば、ファイルの名称、作成者、作成日時、更新日時、ページ数、ファイル内容のダイジェスト（例：最初のページそのもの）などであってもよい。これらの関連情報は、アプリケーションをインストールするためにダウンロードしたデータに含まれている情報（例：アプリケーションの名称、機能、バージョン、カテゴリ、作成者など）や、アプリケーションをインストールした際や起動した際に作成されたプロパティ情報（例：インストール日時、最後に起動した日時など）や、保存されているファイルの内容及びプロパティ情報などを利用して作成することができる。
【００３６】
ここで、関連情報表示部１４が関連情報を表示する一例を図３に示す。図３の左側の図に示された電子機器１０には、第１のアプリケーションに対応する第１の起動用オブジェクトが表示されている。当該第１の起動用オブジェクトに対して所定の起動操作（例：ダブルタップ操作）を行うと、第１のアプリケーションが起動する。なお、図３の左側の図においては、ユーザは、第１の起動用オブジェクトに対してめくる操作を行っている。当該めくる操作に応じて、画面表示が図３の右側の図のように遷移する。
【００３７】
図３の右側の図には、当該めくる操作に応じて、関連情報表示部１４が第１のアプリケーションに関連する関連情報を電子機器１０に表示している状態が示されている。めくる操作に応じて第１の起動用オブジェクトの一番上のページがめくられ、関連情報が記載されたページが現れるという表示態様になっている。関連情報は、第１のアプリケーションの内容を把握可能な情報となっている。
【００３８】
なお、図３に示す例では、起動用オブジェクト上に関連情報を表示しているが、このような表示態様に限定されない。例えば、めくる操作に応じてポップアップウインドウをタッチパネル１１に表示し、当該ウインドウ内に関連情報を表示してもよい。
【００３９】
以上説明した本実施形態の電子機器１０は、第１の起動用オブジェクトに対するめくる操作を受付けると、それに応じて、第１の起動用オブジェクトに対応する第１のアプリケーションの関連情報をタッチパネル１１に表示することができる。ユーザは、関連情報を閲覧することで、各起動用オブジェクトに対応するアプリケーションの内容を把握することができる。このような本実施形態によれば、ユーザは、アプリケーションをわざわざ起動させることなく、各起動用オブジェクトに対応するアプリケーションの内容を把握することができる。
【００４０】
また、本実施形態によれば、起動用オブジェクト上でタッチ位置を所定の方向にスライドさせるめくる操作に応じて、関連情報を表示させることができる。めくる操作は、ページをめくる行為、すなわち新たな情報を呼び出す行為と結びつく。本実施形態は、めくる操作に応じて関連情報を表示させるので、タッチ操作の内容とそれに応じた作用（関連情報の表示）が直感的に結びつきやすい。このため、ユーザに容易に受け入れられることが期待される。また、関連情報を表示させるためのタッチ操作の内容（起動用オブジェクト上でタッチ位置を所定の方向にスライドさせる）が容易にユーザに定着することが期待される。
【００４１】
＜第２の実施形態＞
本実施形態の電子機器１０は、第１のアプリケーションに関連する関連情報がタッチパネル１１に表示されている状態で、受付部１３が第１の起動用オブジェクトに対するめくる操作をさらに受付けると、関連情報表示部１４は、それに応じて、タッチパネル１１に表示する関連情報を、第１のアプリケーションに関連する他の関連情報に変更する。本実施形態の電子機器１０のその他の構成は第１の実施形態と同様である。
【００４２】
例えば、図３の右側の図に示すように、第１のアプリケーションに関連する関連情報がタッチパネル１１に表示されている状態で、受付部１３が第１の起動用オブジェクトに対するめくる操作をさらに受付ける（不図示）と、関連情報表示部１４は、それに応じて、タッチパネル１１に表示する関連情報を、第１のアプリケーションに関連する他の関連情報に変更する。
【００４３】
本実施形態においては、関連情報表示部１４は、受付部１３が第１の起動用オブジェクトに対するめくる操作を複数回受付けると、それに応じて、タッチパネル１１に表示する関連情報の内容を順次切り替えていくことができる。例えば、１回目のめくる操作に応じてアプリケーションの名称を表示し、２回目のめくる操作に応じてアプリケーションの作成者を表示し、３回目のめくる操作に応じてその他の関連情報を表示するという様な構成も可能である。
【００４４】
本実施形態によれば、第１の実施形態と同様な作用効果を実現することができる。また、本実施形態によれば、関連情報を順次表示させることができる。このため、関連情報の表示エリアが少ない場合であっても、関連情報を順次表示させることで、十分な量の情報をユーザに提供することが可能となる。
【００４５】
＜第３実施形態＞
本実施形態の電子機器１０にインストールされたアプリケーションは、ユーザから受付けた入力内容をファイル単位で保存可能になっている。また、アプリケーションは、保存したファイル各々に対応する起動用オブジェクトをタッチパネル１１に表示することができる。そして、関連情報表示部１４は、保存されているファイルの入力内容及び／又は属性情報（例：プロパティ）に基づいて生成される複数の関連情報を、タッチパネル１１に表示する。その他の構成は、第１及び第２の実施形態と同様である。
【００４６】
ここで、図４を用いて一例を説明する。図４の左側の図に示された電子機器１０には、第１のアプリケーションに対応する第１の起動用オブジェクトが表示されている。当該第１の起動用オブジェクトは、第１のアプリケーションにおいて保存されたファイル（ファイル名：点検表）に対応したものとなっている。当該第１の起動用オブジェクトには、ファイル名が対応付けて表示されている。当該第１の起動用オブジェクトに対して所定の起動操作（例：ダブルタップ操作）を行うと、第１のアプリケーションが起動するとともに、点検表（ファイル名）のファイルが開いた状態となる。なお、図４の左側の図においては、ユーザは、第１の起動用オブジェクトに対してめくる操作を行っている。当該めくる操作に応じて、画面表示が図４の右側の図のように遷移する。
【００４７】
図４の右側の図には、当該めくる操作に応じて、関連情報表示部１４が第１のアプリケーションに関連する関連情報を電子機器１０に表示している状態が示されている。関連情報は、点検表（ファイル名）のファイルの内容を把握可能な情報となっている。
【００４８】
なお、第２の実施形態と同様、関連情報表示部１４は、受付部１３がめくる操作を複数回受付けると、それに応じて、タッチパネル１１に表示する関連情報の内容を順次切り替えてもよい。例えば、１回目のめくる操作に応じてファイルの名称を表示し、２回目のめくる操作に応じてファイルの作成者を表示し、３回目のめくる操作に応じてその他の関連情報を表示するという様な構成も可能である。
【００４９】
本実施形態によれば、第１及び第２の実施形態と同様の作用効果を実現することができる。また、起動用オブジェクトが所定のファイルに対応したものである場合、ユーザは、アプリケーションを起動することなく、そのファイルの内容を把握することが可能となる。
【００５０】
＜第４の実施形態＞
図５に、本実施形態の電子機器１０の機能ブロック図の一例を示す。図示するように、本実施形態の電子機器１０は、タッチパネル１１と、起動用オブジェクト表示部１２と、受付部１３と、関連情報表示部１４と、アプリケーション管理部１５と、アプリケーション部１６とを有する。タッチパネル１１、起動用オブジェクト表示部１２及び受付部１３の構成は第１乃至第３の実施形態と同様である。
【００５１】
アプリケーション管理部１５は、起動用オブジェクトに対する起動操作を受付けると、当該起動用オブジェクトに対応するアプリケーションを起動させる。アプリケーション部１６は、電子機器１０にインストールされているアプリケーションにより実現される。アプリケーション部１６は、アプリケーションの内容に応じた所定の処理を実行する。
【００５２】
アプリケーション部１６は、ユーザから受付けた入力内容をファイル単位で保存可能になっている。アプリケーション部１６は、ファイルを所定の保存フォルダに格納する。
【００５３】
関連情報表示部１４は、所定の保存フォルダに格納されているファイルの入力内容及び／又は属性情報（例：プロパティ）に基づいて生成される複数の関連情報をタッチパネル１１に表示する。そして、関連情報表示部１４は、第１のアプリケーションの第１のファイルに基づいた関連情報がタッチパネル１１に表示されている状態で、受付部１３が第１のアプリケーションに対応する第１の起動用オブジェクトに対するめくる操作を受付けると、それに応じて、タッチパネル１１に表示する関連情報を、第１のファイルとは異なる第２のファイルに基づいた関連情報に変更することができる。
【００５４】
ここで、図６及び図７を用いて一例を説明する。図６の左側の図に示された電子機器１０には、第１のアプリケーションに対応する第１の起動用オブジェクトが表示されている。当該起動用オブジェクトは、所定の１つのファイルに対応したものではない。図６の左側の図に示された第１の起動用オブジェクトに対して所定の起動操作（例：ダブルタップ操作）を行うと、第１のアプリケーションが起動する。そして、いずれのファイルも開いていない所定の初期画面が表示される。なお、図６の左側の図においては、ユーザは、第１の起動用オブジェクトに対してめくる操作を行っている。当該めくる操作に応じて、画面表示が図６の右側の図のように遷移する。第１乃至第３の実施形態で図面を用いて示した例では、めくる操作の方向は右から左であったが、図６では、その他のバリエーションの一例として、上から下方向へのめくる操作を示している。
【００５５】
図６の右側の図には、当該めくる操作に応じて、関連情報表示部１４が第１のアプリケーションに関連する関連情報を電子機器１０に表示している状態が示されている。関連情報は、所定の保存フォルダに格納されている第１のアプリケーションのファイルの中の１つのファイルに関する情報（ファイル名）である。
【００５６】
図７の左側の図には、図６の右側の図に示すように第１のアプリケーションに関連する関連情報がタッチパネル１１に表示された後、当該状態で、受付部１３が第１の起動用オブジェクトに対するめくる操作をさらに受付けている様子が示されている。当該めくる操作に応じて、画面表示が図７の右側の図のように遷移する。
【００５７】
図７の右側の図には、当該めくる操作に応じて、関連情報表示部１４がタッチパネル１１に表示する関連情報を、第１のアプリケーションに関連する他の関連情報に変更した状態が示されている。図７の右側の図に示されている関連情報は、所定の保存フォルダに格納されている第１のアプリケーションのファイルの中の１つのファイルに関する情報（ファイル名）である。
【００５８】
図７の左側の図においては、所定の保存フォルダに格納されている第１のアプリケーションのファイルの中の任意の１つのファイル（ファイル名：１１１）に関する関連情報が表示されている。そして、図７の右側の図においては、所定の保存フォルダに格納されている第１のアプリケーションのファイルの中の他の任意の１つのファイル（ファイル名：２２２）に関する関連情報が表示されている。
【００５９】
なお、アプリケーション管理部１５は、１つのファイルに関する関連情報が表示されている状態で、第１の起動用オブジェクトに対する起動操作を受付けると、表示されている関連情報に関係する部分にフォーカスを当てた状態で、第１のアプリケーションを起動してもよい。例えば、図８に示すように、第１のファイル（「ファイル名：１１１」のファイル）に関する関連情報が表示されている状態で、第１の起動用オブジェクトに対する起動操作を受付けた場合、アプリケーション管理部１５は、第１のファイル（「ファイル名：１１１」のファイル）を開いた状態で第１のアプリケーションを起動してもよい。すなわち、当該起動操作に応じて、第１のアプリケーションが起動するとともに、第１のファイル（図８の場合、「ファイル名：１１１」のファイル）が開いた状態となる。
【００６０】
本実施形態によれば、第１乃至第３の実施形態と同様の作用効果を実現することができる。また、本実施形態によれば、ユーザは、各アプリケーションのファイル（保存ファイル）を、アプリケーションを起動することなく把握することができる。さらに、ユーザは、めくる操作を繰り返して所定の保存フォルダに格納されている複数のファイル各々に関する関連情報を順次表示させることで、アプリケーションを起動させることなく、保存されているファイルの内容を把握することができる。さらに、ユーザは、めくる操作を繰り返して所望のファイルに関する関連情報を表示させ、その状態で起動操作を行うことにより、そのアプリケーションを起動させるとともに、そのファイルを開くことができる。結果、入力作業の効率化が実現される。
【００６１】
＜第５の実施形態＞
本実施形態の関連情報表示部１４は、受付部１３が第１の起動用オブジェクトに対する第１の方向のめくる操作を受付けた場合、第１の関連情報を表示し、受付部１３が第１の起動用オブジェクトに対する第１の方向と異なる第２の方向のめくる操作を受付けた場合、第１の関連情報と異なる第２の関連情報を表示する。すなわち、本実施形態は、めくる操作の方向に応じて、タッチパネル１１に表示される関連情報の内容が異なる。その他の構成は、第１乃至第４の実施形態と同様である。
【００６２】
例えば、関連情報表示部１４は、受付部１３が第１の起動用オブジェクトに対する第１の方向のめくる操作を受付けた場合、第１のアプリケーションの名称、機能、バージョン、カテゴリ、作成者、インストール日時、最後に起動した日時などを順次表示してもよい。そして、関連情報表示部１４は、受付部１３が第１の起動用オブジェクトに対する第２の方向のめくる操作を受付けた場合、所定の保存フォルダに格納されている第１のアプリケーションのファイルに関する情報を順次表示してもよい。
【００６３】
本実施形態によれば、第１乃至第４の実施形態と同様の作用効果を実現することができる。また、本実施形態によれば、めくる操作の方向に応じて表示する関連情報の内容を変更できる。このため、ユーザは、所望の関連情報に応じためくる操作を行うことで、容易に所望の関連情報を閲覧することができる。
【００６４】
＜第６の実施形態＞
本実施形態の関連情報表示部１４は、受付部１３が第１の起動用オブジェクトに対する所定の方向のめくる操作を受付けると、第１のアプリケーションに関連する複数の関連情報をタッチパネル１１に一覧表示する。その他の構成は、第１乃至第５の実施形態と同様である。
【００６５】
ここで、図９を用いて一例を説明する。図９の左側の図に示された電子機器１０には、第１のアプリケーションに対応する第１の起動用オブジェクトが表示されている。当該起動用オブジェクトは、所定の１つのファイルに対応したものではない。当該第１の起動用オブジェクトに対して所定の起動操作（例：ダブルタップ操作）を行うと、第１のアプリケーションが起動する。そして、いずれのファイルも開いていない所定の初期画面が表示される。なお、図９の左側の図においては、ユーザは、第１の起動用オブジェクトに対して左から右方向へのめくる操作を行っている。当該めくる操作に応じて、画面表示が図９の右側の図のように遷移する。
【００６６】
図９の右側の図には、当該めくる操作に応じて、関連情報表示部１４が第１のアプリケーションに関連する複数の関連情報を電子機器１０に一覧表示している状態が示されている。関連情報は、所定の保存フォルダに格納されている第１のアプリケーションの複数のファイルに関する情報（ファイル名）である。一覧表示される関連情報は、その他の関連情報であってもよい。
【００６７】
ここで、図１６を用いてその他の例を説明する。図１６の左上側の図に示された電子機器１０には、第１のアプリケーションに対応する第１の起動用オブジェクトが表示されている。当該起動用オブジェクトは、所定の１つのファイルに対応したものではない。当該第１の起動用オブジェクトに対して所定の起動操作（例：ダブルタップ操作）を行うと、第１のアプリケーションが起動する。そして、いずれのファイルも開いていない所定の初期画面が表示される。なお、図１６の左上側の図においては、ユーザは、第１の起動用オブジェクトに対して左から右方向へのめくる操作を行っている。当該めくる操作に応じて、画面表示が図１６の右上側の図のように遷移する。
【００６８】
図１６の右上側の図には、当該めくる操作に応じて、関連情報表示部１４が第１のアプリケーションに関連する複数の関連情報を電子機器１０に一覧表示する案内を表示した状態が示されている。そして、ユーザは、一覧表示の案内が表示されている第１の起動用オブジェクトに対して所定のタッチ操作（例：シングルタップ操作）を行っている。当該タッチ操作に応じて、画面表示が図１６の右下側の図のように遷移する。
【００６９】
図１６の右下側の図には、一覧表示の案内が表示されている第１の起動用オブジェクトに対する所定のタッチ操作に応じて、関連情報表示部１４が第１のアプリケーションに関連する複数の関連情報を別ウインドウ内に一覧表示している状態が示されている。関連情報は、所定の保存フォルダに格納されている第１のアプリケーションの複数のファイルに関する情報（ファイル名）である。一覧表示される関連情報は、その他の関連情報であってもよい。一覧表示される情報の量は比較的多くなる。このような情報を狭いスペースに表示すると、文字が小さくなったり、また、文字の間隔が狭くなったりして、視認性が損なわれてしまう恐れがある。図１６に示した例の場合、比較的広いスペースに一覧表示することができるので、視認性が向上し好ましい。
【００７０】
なお、受付部１３が、一覧表示させるためのめくる操作の方向と異なる方向のめくる操作を受付けた場合、関連情報表示部１４は、上記実施形態で説明したように複数の関連情報を順次表示してもよい。
【００７１】
本実施形態によれば、第１乃至第５の実施形態と同様の作用効果を実現することができる。また、本実施形態によれば、所定の方向のめくる操作に応じて、複数の関連情報を一連表示することができる。このため、ユーザは、複数の関連情報を順次表示させながら閲覧する閲覧方法のみならず、複数の関連情報を一覧表示させて閲覧する閲覧方法をも採用することが可能となる。
【００７２】
＜第７の実施形態＞
本実施形態の関連情報表示部１４は、受付部１３がめくる操作を受付けると、タッチパネル１１上に第１の起動用オブジェクトと共に表示されている他の起動用オブジェクトを特定し、特定した内容に基づいて、タッチパネル１１に表示する関連情報を決定する。例えば、関連情報表示部１４は、第１の起動用オブジェクトと、他の起動用オブジェクトとを識別可能な関連情報を、タッチパネルに表示するよう決定することができる。その他の構成は、第１乃至第６の実施形態と同様である。
【００７３】
例えば、他の起動用オブジェクトの中に、めくる操作を受付けた起動用オブジェクトと異なるアプリケーションに対応したものが存在する場合、関連情報表示部１４は、関連情報として、それらアプリケーション各々を識別できる情報（例：アプリケーション名、アプリケーションの機能など）をタッチパネル１１に表示してもよい。
【００７４】
また、他の起動用オブジェクトの中に、めくる操作を受付けた起動用オブジェクトと同じアプリケーションかつ異なるファイルに対応したものが存在する場合、関連情報表示部１４は、関連情報として、そのアプリケーションのファイル各々を識別できる情報（例：ファイル名、ファイル作成者など）をタッチパネル１１に表示してもよい。
【００７５】
ここで、図１０を用いて一例を説明する。図１０の左側の図に示された電子機器１０には、第１乃至第３のアプリケーション各々に対応する第１乃至第３の起動用オブジェクトが表示されている。各起動用オブジェクトに対して所定の起動操作（例：ダブルタップ操作）を行うと、各アプリケーションが起動する。なお、図１０の左側の図においては、ユーザは、３つの起動用オブジェクトの中の真ん中の起動用オブジェクトに対してめくる操作を行っている。当該めくる操作に応じて、画面表示が図１０の右側の図のように遷移する。
【００７６】
図１０の右側の図には、当該めくる操作に応じて、関連情報表示部１４が真ん中の起動用オブジェクトに対応するアプリケーションに関連する関連情報を電子機器１０に表示している状態が示されている。関連情報は、アプリケーションの名称であり、第１乃至第３のアプリケーションを識別可能な情報である。
【００７７】
ここで、図１１を用いて他の一例を説明する。図１１の左側の図に示された電子機器１０には、第１のアプリケーションに対応する４つの起動用オブジェクトが表示されている。４つの起動用オブジェクトは、各々異なるファイルに対応したものである。各起動用オブジェクトに対して所定の起動操作（例：ダブルタップ操作）を行うと、各アプリケーションが起動するとともに、対応しているファイルが開いた状態となる。なお、図１１の左側の図においては、ユーザは、点検表Ｃ（ファイル名）に対応している起動用オブジェクトに対してめくる操作を行っている。当該めくる操作に応じて、画面表示が図１１の右側の図のように遷移する。
【００７８】
図１１の右側の図には、当該めくる操作に応じて、関連情報表示部１４がめくる操作の対象となった起動用オブジェクト上に、当該起動用オブジェクトに対応するアプリケーションに関連する関連情報を電子機器１０に表示している状態が示されている。関連情報は、ファイルの更新日時及び作成者名であり、複数のファイルを識別可能な情報である。
【００７９】
なお、図１１の右側の図に示すように、少なくとも１つの起動用オブジェクトに対応する関連情報が表示されている状態で、受付部１３が他の起動用オブジェクトに対するめくる操作を受付けると、関連情報表示部１４は、他の起動用オブジェクトに対応するアプリケーションの関連情報をさらにタッチパネル１１に表示してもよい。すなわち、複数の起動用オブジェクト各々に対応する複数の関連情報が、同時にタッチパネル１１上に表示されてもよい。
【００８０】
本実施形態によれば、第１乃至第６の実施形態と同様の作用効果を実現することができる。また、本実施形態によれば、めくる操作の対象となった起動用オブジェクトと同じ画面上に表示されている他の起動用オブジェクトに応じて、タッチパネル１１に表示する関連情報の内容を変更することができる。例えば、めくる操作の対象となった起動用オブジェクトと、他の起動用オブジェクトとを識別可能な関連情報を、タッチパネルに表示するよう決定することができる。結果、ユーザは、同時に画面上に表示されている複数の起動用オブジェクトの相違を明確に把握し、所望の起動用オブジェクトを容易に見つけ出すことが可能となる。
【００８１】
＜第８の実施形態＞
本実施形態の関連情報表示部１４は、受付部１３がタッチ位置を所定の距離以上スライドさせるめくる操作を受付けると、タッチパネル１１に表示されているすべての起動用オブジェクトに対応する複数のアプリケーションに関連する関連情報を、タッチパネルに表示する。その他の構成は、第１乃至第７の実施形態と同様である。
【００８２】
ここで、図１２を用いて一例を説明する。図１２の左側の図に示された電子機器１０には、複数のアプリケーション各々に対応した複数の起動用オブジェクトが表示されている。そして、図１２の左側の図においては、ユーザが、タッチ位置を所定の距離（第１乃至第７の実施形態で説明した単一の起動用オブジェクトに対するめくる操作よりも長い距離）以上スライドさせるめくる操作を行っている状態が示されている。当該めくる操作に応じて、画面表示が図１２の右側の図のように遷移する。
【００８３】
図１２の右側の図には、当該めくる操作に応じて、関連情報表示部１４がタッチパネル１１に表示されているすべての起動用オブジェクトに対応する複数のアプリケーションに関連する関連情報を、タッチパネル１１に表示した状態が示されている。なお、図１２の右側においては、図面の大きさの関係で関連情報を記載できなかったので、関連情報を表示する代わりに、起動用オブジェクトがめくれた状態を示している。すなわち、起動用オブジェクトがめくれた状態により、関連情報が表示された状態を模擬している。
【００８４】
本実施形態によれば、第１乃至第７の実施形態と同様の作用効果を実現することができる。また、本実施形態によれば、所定のめくる操作に応じて、複数の起動用オブジェクト各々に対応する関連情報を一度にタッチパネル１１に表示することができる。ユーザは、簡易な操作により複数の起動用オブジェクト各々に対応する関連情報を一度にタッチパネル１１に表示させ、それを閲覧することで、所望の起動用オブジェクトを特定することができる。
【００８５】
＜第９の実施形態＞
本実施形態の関連情報表示部１４は、第１のアプリケーションに関連する複数の関連情報を階層構造化し、受付部１３がめくる操作を受付けると、以下の（１）及び（２）のルールに従い階層構造内を移動した後の関連情報を特定し、特定した関連情報をタッチパネル１１に表示する。その他の構成は、第１乃至第８の実施形態と同様である。
【００８６】
（１）階層構造の中の所定の位置（設計的事項）を初期位置とする。
（２）初期位置から、めくる操作のスライド方向に応じた所定の方向に移動する。
【００８７】
例えば、関連情報表示部１４は、ファイルの入力内容及び／又は属性情報に基づいて生成される複数の関連情報をファイル単位でグループ化することで、第１のアプリケーションに関連する複数の関連情報を階層構造化する。図１３を用いて一例を説明する。
【００８８】
図１３に示す例では、第１のアプリケーションのファイル（ファイル１、２、３・・・）各々の入力内容及び／又は属性情報に基づいて生成される複数の関連情報（図中、タイトル、作成者、更新日時、ページ数等）が、ファイル単位でグループ化されている。そして、第１の起動用オブジェクトに対する第１の方向（図の場合、右から左方向）のめくる操作を受付けると、関連情報表示部１４は、ファイル１に関連する関連情報をタッチパネル１１に表示する。その状態で第１の起動用オブジェクトに対する第１の方向（図の場合、右から左方向）のめくる操作を受付けると、関連情報表示部１４は、ファイル２に関連する関連情報をタッチパネル１１に表示する。
【００８９】
ファイル２に関連する関連情報が表示されている状態で第１の起動用オブジェクトに対する第１の方向（図の場合、右から左方向）のめくる操作を受付けると、関連情報表示部１４は、ファイル３に関連する関連情報をタッチパネル１１に表示する。一方、ファイル２に関連する関連情報が表示されている状態で第１の起動用オブジェクトに対する第２の方向（図の場合、左から右方向）のめくる操作を受付けると、関連情報表示部１４は、ファイル１に関連する関連情報をタッチパネル１１に表示する。
【００９０】
本実施形態によれば、第１乃至第８の実施形態と同様の作用効果を実現することができる。また、本実施形態によれば、複数の関連情報を階層構造化し、めくる操作におけるめくる方向に応じて階層構造内を移動し、移動後の関連情報をタッチパネル１１に表示することができる。このような本実施形態よれば、ユーザは、所定の方向のめくる操作により階層構造内を所望の位置まで移動して、その位置にある所望の関連情報を表示させることができる。例えば、第１の方向のめくる操作によりファイル１の関連情報を表示させた後、第１の方向のめくる操作を複数回行ってファイル５の関連情報を表示させ、その後、第２の方向のめくる操作を複数回行ってファイル１の関連情報を再び表示させることができる。かかる場合、階層構造を把握しておけば、ユーザは、所望の関連情報にたどり着くまでの労力（操作数等）を少なくすることができる。
【００９１】
＜第１０の実施形態＞
本実施形態の関連情報表示部１４は、複数の関連情報を複数のグループに分類することで複数の関連情報を階層構造化し、受付部１３がめくる操作を受付けると、第９の実施形態で説明した（１）及び（２）に加え、さらに以下の（３）及び（４）のルールに従い階層構造内を移動した後の関連情報を特定し、特定した関連情報をタッチパネル１１に表示する。その他の構成は、第１乃至第９の実施形態と同様である。
【００９２】
（３）受付部１３が第３の方向のめくる操作を受付けた場合、グループ間を移動する。
（４）受付部１３が第３の方向と異なる第４の方向のめくる操作を受付けた場合、グループ内を移動する。
【００９３】
例えば、関連情報表示部１４は、ファイルの入力内容及び／又は属性情報に基づいて生成される複数の関連情報をファイル単位でグループ化することで、第１のアプリケーションに関連する複数の関連情報を階層構造化する。図１４を用いて一例を説明する。
【００９４】
図１４に示す例では、第１のアプリケーションのファイル（ファイル１、２、３・・・）各々の入力内容及び／又は属性情報に基づいて生成される複数の関連情報（図中、タイトル、作成者、更新日時、ページ数、画像等）が、ファイル単位でグループ化されている。そして、第１の起動用オブジェクトに対する第１の方向（図の場合、右から左方向）のめくる操作を受付けると、関連情報表示部１４は、ファイル１に関連する関連情報であって、ファイル１の代表画像Ａ（例：ファイル１の１ページ目の画像）をタッチパネル１１に表示する。一方、第１の起動用オブジェクトに対する第２の方向（図の場合、左から右方向）のめくる操作を受付けると、関連情報表示部１４は、ファイル１に関連する関連情報であって、ファイル１のタイトルや、作成者、更新日時等の属性情報をタッチパネル１１に表示する。
【００９５】
ファイル１の代表画像Ａがタッチパネル１１に表示されている状態で第１の起動用オブジェクトに対する第１の方向（図の場合、右から左方向）のめくる操作を受付けると、関連情報表示部１４は、ファイル１の代表画像Ａに代えて、ファイル１の画像Ｂ（例：ファイル１の２ページ目の画像）をタッチパネル１１に表示する。
【００９６】
ファイル１の画像Ｂがタッチパネル１１に表示されている状態で第１の起動用オブジェクトに対する第１の方向（図の場合、右から左方向）のめくる操作を受付けると、関連情報表示部１４は、ファイル１の画像Ｂに代えて、ファイル１の画像Ｃ（例：ファイル１の３ページ目の画像）をタッチパネル１１に表示する。
【００９７】
ファイル１の画像Ｃがタッチパネル１１に表示されている状態で第１の起動用オブジェクトに対する第１の方向（図の場合、右から左方向）のめくる操作を受付けると、関連情報表示部１４は、ファイル１の画像Ｃに代えて、ファイル１の代表画像Ａ（例：ファイル１の１ページ目の画像）を再びタッチパネル１１に表示する。
【００９８】
ファイル１の代表画像Ａがタッチパネル１１に表示されている状態で第１の起動用オブジェクトに対する第３の方向（図の場合、下から上方向）のめくる操作を受付けると、関連情報表示部１４は、ファイル１の代表画像Ａに代えて、ファイル２の代表画像Ａ（例：ファイル２の１ページ目の画像）をタッチパネル１１に表示する。なお、ファイル１の他の画像（画像Ｂ及びＣ）がタッチパネル１１に表示されている状態で第１の起動用オブジェクトに対する第３の方向（図の場合、下から上方向）のめくる操作を受付けた場合も、関連情報表示部１４は、ファイル１の代表画像Ａに代えて、ファイル２の代表画像Ａ（例：ファイル２の１ページ目の画像）をタッチパネル１１に表示してもよい。ファイル２の代表画像Ａ、画像Ｂ及びＣ間の移動は、ファイル１の代表画像Ａ、画像Ｂ及び画像Ｃ間の移動と同様である。
【００９９】
ファイル２の代表画像Ａがタッチパネル１１に表示されている状態で第１の起動用オブジェクトに対する第３の方向（図の場合、下から上方向）のめくる操作を受付けると、関連情報表示部１４は、ファイル２の代表画像Ａに代えて、ファイル３の代表画像Ａ（例：ファイル３の１ページ目の画像）をタッチパネル１１に表示する。なお、ファイル２の他の画像（画像Ｂ及びＣ）がタッチパネル１１に表示されている状態で第１の起動用オブジェクトに対する第３の方向（図の場合、下から上方向）のめくる操作を受付けた場合も、関連情報表示部１４は、ファイル２の代表画像Ａに代えて、ファイル３の代表画像Ａ（例：ファイル３の１ページ目の画像）をタッチパネル１１に表示してもよい。ファイル３の代表画像Ａ、画像Ｂ及びＣ間の移動は、ファイル１の代表画像Ａ、画像Ｂ及び画像Ｃ間の移動と同様である。
【０１００】
図中、矢印では示していないが、ファイル３の代表画像Ａがタッチパネル１１に表示されている状態で第１の起動用オブジェクトに対する第３の方向（図の場合、下から上方向）のめくる操作を受付けると、関連情報表示部１４は、ファイル３の代表画像Ａに代えて、ファイル１の代表画像Ａ（例：ファイル１の１ページ目の画像）をタッチパネル１１に表示してもよい。なお、ファイル３の他の画像（画像Ｂ及びＣ）がタッチパネル１１に表示されている状態で第１の起動用オブジェクトに対する第３の方向（図の場合、下から上方向）のめくる操作を受付けた場合も、関連情報表示部１４は、ファイル３の代表画像Ａに代えて、ファイル１の代表画像Ａ（例：ファイル１の１ページ目の画像）をタッチパネル１１に表示してもよい。
【０１０１】
なお、ファイル１の属性情報（例：タイトル、作成者、更新日時等）がタッチパネル１１に表示されている状態で第１の起動用オブジェクトに対する第３の方向（図の場合、下から上方向）のめくる操作を受付けると、関連情報表示部１４は、ファイル１の属性情報に代えてファイル２の属性情報をタッチパネル１１に表示する。そして、ファイル２の属性情報（例：タイトル、作成者、更新日時等）がタッチパネル１１に表示されている状態で第１の起動用オブジェクトに対する第３の方向（図の場合、下から上方向）のめくる操作を受付けると、関連情報表示部１４は、ファイル２の属性情報に代えてファイル３の属性情報をタッチパネル１１に表示する。さらに、ファイル３の属性情報（例：タイトル、作成者、更新日時等）がタッチパネル１１に表示されている状態で第１の起動用オブジェクトに対する第３の方向（図の場合、下から上方向）のめくる操作を受付けると、関連情報表示部１４は、ファイル３の属性情報に代えてファイル１の属性情報をタッチパネル１１に表示する。
【０１０２】
本実施形態によれば、第１乃至第９の実施形態と同様の作用効果を実現することができる。また、本実施形態によれば、複数の関連情報を階層構造化し、所定方向のめくる操作に応じて階層構造内を移動し、移動後の関連情報をタッチパネル１１に表示することができる。このような本実施形態よれば、階層構造を把握しておけば、ユーザは、所望の関連情報にたどり着くまでの労力（操作数等）を少なくすることができる。
【０１０３】
＜第１１の実施形態＞
本実施形態のアプリケーションは、所定のユーザ入力インターフェイス画面をタッチパネル１１に表示し、複数の設備の点検結果の入力を受付けるよう構成されている。例えば、本実施形態のアプリケーションは設備Ｂ及び設備Ｃの点検結果の入力を受付けるように構成されている。図１５に示すように、設備Ｂ及び設備Ｃごとに、複数の入力項目を備える。設備Ｂの入力項目としては、点検項目Ｂ−１グループに属する項目Ｂ−１−１乃至Ｂ−１−３と、点検項目Ｂ−２グループに属する項目Ｂ−２−１乃至Ｂ−２−３が存在する。設備Ｃの入力項目としては、点検項目Ｃ−１グループに属する項目Ｃ−１−１乃至Ｃ−１−３が存在する。
【０１０４】
ユーザ入力インターフェイス画面は、点検項目Ｂ−１グループ、点検項目Ｂ−２グループ、点検項目Ｃ−１グループ各々別のページで構成してもよいし、これらすべてを１つのページで構成してもよいし、その他の構成としてもよい。ユーザ入力インターフェイス画面は、入力項目毎に入力ボックス、ラジオボタン、チェックボックスなどの入力用部品を備えており、当該部品を介して点検結果の入力を受付けるよう構成されている。
【０１０５】
本実施形態の関連情報表示部１４は、第９及び第１０の実施形態と同様、複数の関連情報を複数のグループに分類することで複数の関連情報を階層構造化し、受付部１３がめくる操作を受付けると、所定のルールに従い階層構造内を移動した後の関連情報を特定し、特定した関連情報をタッチパネル１１に表示する。
【０１０６】
関連情報表示部１４は、例えば、アプリケーションの内容を把握可能な関連情報として、ユーザ入力インターフェイス画面に含まれている項目（入力項目）を示す情報をタッチパネル１１に表示してもよい。例えば、関連情報表示部１４は、ユーザ入力インターフェイス画面の一部分を点検項目単位または項目単位で切り取った画像を、関連情報としてタッチパネル１１に表示してもよい。または、関連情報表示部１４は、ユーザ入力インターフェイス画面に含まれている項目（入力項目）を示すテキストデータを、関連情報としてタッチパネル１１に表示してもよい。関連情報表示部１４は、設備単位でこのような関連情報をグループ化することで、複数の関連情報を階層構造化する。
【０１０７】
例えば、本実施形態のアプリケーションに対応する起動用オブジェクトに対する第１の方向のめくる操作を受付けると、関連情報表示部１４は、設備１の点検項目Ｂ−１グループの項目Ｂ−１−１を示す関連情報をタッチパネル１１に表示する（図１５参照）。当該状態で、起動用オブジェクトに対する起動操作を受付けると、本実施形態のアプリケーションが起動するとともに、ユーザ入力インターフェイス画面における項目Ｂ−１−１の部分がタッチパネル１１上に表示され、かつ、フォーカスが当たった状態となる。
【０１０８】
一方、設備１の点検項目Ｂ−１グループの項目Ｂ−１−１を示す関連情報がタッチパネル１１に表示されている状態で、本実施形態のアプリケーションに対応する起動用オブジェクトに対する第１の方向のめくる操作を受付けると、関連情報表示部１４は、項目Ｂ−１−１を示す関連情報に代えて、点検項目Ｂ−１グループの項目Ｂ−１−２を示す関連情報をタッチパネル１１に表示する。同様に第１の方向のめくる操作を受付けると、関連情報表示部１４は、項目Ｂ−１−２を示す関連情報に代えて、点検項目Ｂ−１グループの項目Ｂ−１−３を示す関連情報をタッチパネル１１に表示する。同様に第１の方向のめくる操作を受付けると、関連情報表示部１４は、項目Ｂ−１−３を示す関連情報に代えて、点検項目Ｂ−１グループの項目Ｂ−１−１を示す関連情報をタッチパネル１１に表示する。
【０１０９】
項目Ｂ−１−１乃至Ｂ−１−３のいずれかを示す関連情報がタッチパネル１１に表示されている状態で、本実施形態のアプリケーションに対応する起動用オブジェクトに対する第２の方向のめくる操作を受付けると、関連情報表示部１４は、項目Ｂ−１−１乃至Ｂ−１−３を示す関連情報に代えて、点検項目Ｂ−２グループの項目Ｂ−２−１を示す関連情報をタッチパネル１１に表示する。点検項目Ｂ−２グループ内の移動は、点検項目Ｂ−１グループ内の移動と同様である。
【０１１０】
項目Ｂ−２−１乃至Ｂ−２−３のいずれかを示す関連情報がタッチパネル１１に表示されている状態で、本実施形態のアプリケーションに対応する起動用オブジェクトに対する第２の方向のめくる操作を受付けると、関連情報表示部１４は、項目Ｂ−２−１乃至Ｂ−２−３を示す関連情報に代えて、点検項目Ｂ−１グループの項目Ｂ−１−１を示す関連情報をタッチパネル１１に表示する。
【０１１１】
項目Ｂ−１−１乃至Ｂ−１−３、及び、項目Ｂ−２−１乃至Ｂ−２−３のいずれかを示す関連情報がタッチパネル１１に表示されている状態で、本実施形態のアプリケーションに対応する起動用オブジェクトに対する第３の方向のめくる操作を受付けると、関連情報表示部１４は、項目Ｂ−１−１乃至Ｂ−１−３、及び、項目Ｂ−２−１乃至Ｂ−２−３を示す関連情報に代えて、点検項目Ｃ−１グループの項目Ｃ−１−１を示す関連情報をタッチパネル１１に表示する。点検項目Ｃ−１グループ内の移動は、点検項目Ｂ−１グループ内の移動と同様である。
【０１１２】
本実施形態によれば、第１乃至第１０の実施形態と同様の作用効果を実現することができる。また、本実施形態によれば、複数の関連情報を階層構造化し、所定方向のめくる操作に応じて階層構造内を移動し、移動後の関連情報をタッチパネル１１に表示することができる。このような本実施形態よれば、階層構造を把握しておけば、ユーザは、所望の関連情報にたどり着くまでの労力（操作数等）を少なくすることができる。
【０１１３】
以下、参考形態の例を付記する。
１．  タッチパネルと、
アプリケーションを起動させるための起動操作の対象となる起動用オブジェクトを前記タッチパネルに表示する起動用オブジェクト表示手段と、
前記起動用オブジェクト上でタッチ位置を所定の方向にスライドさせるタッチ操作であって、前記起動操作とは異なるタッチ操作であるめくる操作を受付ける受付手段と、
前記受付手段が第１の前記アプリケーションに対応する第１の前記起動用オブジェクトに対する前記めくる操作を受付けると、前記第１のアプリケーションに関連する関連情報を前記タッチパネルに表示する関連情報表示手段と、
を有する電子機器。
２．  １に記載の電子機器において、
前記第１のアプリケーションに関連する前記関連情報が前記タッチパネルに表示されている状態で、前記受付手段が前記第１の起動用オブジェクトに対する前記めくる操作を受付けると、
前記関連情報表示手段は、それに応じて、前記タッチパネルに表示する前記関連情報を、前記第１のアプリケーションに関連する他の前記関連情報に変更する電子機器。
３．  ２に記載の電子機器において、
前記アプリケーションは、ユーザから受付けた入力内容をファイル単位で保存可能であり、
前記関連情報表示手段は、前記ファイルの前記入力内容及び／又は属性情報に基づいて生成される複数の前記関連情報を前記タッチパネルに表示し、
前記第１のファイルに基づいた前記関連情報が前記タッチパネルに表示されている状態で、前記受付手段が前記第１の起動用オブジェクトに対する前記めくる操作を受付けると、前記関連情報表示手段は、それに応じて、前記タッチパネルに表示する前記関連情報を、前記第１のファイルとは異なる第２の前記ファイルに基づいた前記関連情報に変更する電子機器。
４．  １から３のいずれかに記載の電子機器において、
前記関連情報表示手段は、
前記受付手段が前記第１の起動用オブジェクトに対する第１の方向の前記めくる操作を受付けた場合、第１の前記関連情報を表示し、
前記受付手段が前記第１の起動用オブジェクトに対する前記第１の方向と異なる第２の方向の前記めくる操作を受付けた場合、前記第１の関連情報と異なる第２の前記関連情報を表示する電子機器。
５．  １から４のいずれかに記載の電子機器において、
前記受付手段が前記第１の起動用オブジェクトに対する所定の方向の前記めくる操作を受付けると、前記関連情報表示手段は、前記第１のアプリケーションに関連する複数の関連情報を、前記タッチパネルに一覧表示する電子機器。
６．  １から５のいずれかに記載の電子機器において、
前記関連情報表示手段は、前記受付手段が前記めくる操作を受付けると、前記タッチパネル上に前記第１の起動用オブジェクトと共に表示されている他の前記起動用オブジェクトを特定し、特定した内容に基づいて、前記タッチパネルに表示する前記関連情報を決定する電子機器。
７．  ６に記載の電子機器において、
前記関連情報表示手段は、前記第１の起動用オブジェクトと、前記他の起動用オブジェクトとを識別可能な前記関連情報を、前記タッチパネルに表示するよう決定する電子機器。
８．  １から７のいずれかに記載の電子機器において、
前記関連情報表示手段は、前記第１のアプリケーションに関連する複数の前記関連情報を階層構造化し、前記受付手段が前記めくる操作を受付けると、以下の（１）及び（２）のルールに従い前記階層構造内を移動した後の前記関連情報を特定し、特定した前記関連情報を前記タッチパネルに表示する電子機器。
（１）前記階層構造の中の所定の位置を初期位置とする。
（２）前記初期位置から、前記めくる操作のスライド方向に応じた所定の方向に移動する。
９．  ８に記載の電子機器において、
前記関連情報表示手段は、複数の前記関連情報を複数のグループに分類することで複数の前記関連情報を階層構造化し、前記受付手段が前記めくる操作を受付けると、さらに以下の（３）及び（４）のルールに従い前記階層構造内を移動した後の前記関連情報を特定し、特定した前記関連情報を前記タッチパネルに表示する電子機器。
（３）前記受付手段が第３の方向の前記めくる操作を受付けた場合、前記グループ間を移動する。
（４）前記受付手段が前記第３の方向と異なる第４の方向の前記めくる操作を受付けた場合、前記グループ内を移動する。
１０．  ９に記載の電子機器において、
前記アプリケーションは、ユーザから受付けた入力内容をファイル単位で保存可能であり、
前記関連情報表示手段は、前記ファイルの前記入力内容及び／又は属性情報に基づいて生成される複数の前記関連情報を前記ファイル単位でグループ化することで複数の前記関連情報を階層構造化する電子機器。
１１．  １から１０のいずれかに記載の電子機器において、
前記起動用オブジェクトに対する前記起動操作を受付けると、当該起動用オブジェクトに対応する前記アプリケーションを起動させるアプリケーション管理手段をさらに有し、
前記アプリケーション管理手段は、前記第１のアプリケーションに関連する前記関連情報が前記タッチパネルに表示されている状態で、前記第１の起動用オブジェクトに対する前記起動操作を受付けると、前記タッチパネルに表示されている前記関連情報に関係する部分にフォーカスをあてた状態で、前記第１のアプリケーションを起動する電子機器。
１２．  １０に従属する１１に記載の電子機器において、
前記アプリケーション管理手段は、前記第１のアプリケーションの第１の前記ファイルに関連する前記関連情報が前記タッチパネルに表示されている状態で、前記第１の起動用オブジェクトに対する前記起動操作を受付けると、前記第１のファイルを開いた状態で前記第１のアプリケーションを起動する電子機器。
１３．  １から１２のいずれかに記載の電子機器において、
前記関連情報表示手段は、前記受付手段がタッチ位置を所定の距離以上スライドさせる前記めくる操作を受付けると、前記タッチパネルに表示されているすべての前記起動用オブジェクトに対応する複数の前記アプリケーションに関連する前記関連情報を、前記タッチパネルに表示する電子機器。
１４．  タッチパネルを有する電子機器のコンピュータが、
アプリケーションを起動させるための起動操作の対象となる起動用オブジェクトを前記タッチパネルに表示する起動用オブジェクト表示工程と、
前記起動用オブジェクト上でタッチ位置を所定の方向にスライドさせるタッチ操作であって、前記起動操作とは異なるタッチ操作であるめくる操作を受付ける受付工程と、
前記受付工程で第１の前記アプリケーションに対応する第１の前記起動用オブジェクトに対する前記めくる操作を受付けると、前記第１のアプリケーションに関連する関連情報を前記タッチパネルに表示する関連情報表示工程と、
を実行する電子機器の制御方法。
１４−２．  １４に記載の電子機器の制御方法において、
前記受付工程において、前記第１のアプリケーションに関連する前記関連情報が前記タッチパネルに表示されている状態で、前記第１の起動用オブジェクトに対する前記めくる操作を受付けると、
前記関連情報表示工程では、それに応じて、前記タッチパネルに表示する前記関連情報を、前記第１のアプリケーションに関連する他の前記関連情報に変更する電子機器の制御方法。
１４−３．  １４−２に記載の電子機器の制御方法において、
前記アプリケーションは、ユーザから受付けた入力内容をファイル単位で保存可能であり、
前記関連情報表示工程では、前記ファイルの前記入力内容及び／又は属性情報に基づいて生成される複数の前記関連情報を前記タッチパネルに表示し、
前記受付工程において、前記第１のファイルに基づいた前記関連情報が前記タッチパネルに表示されている状態で、前記第１の起動用オブジェクトに対する前記めくる操作を受付けると、前記関連情報表示工程では、それに応じて、前記タッチパネルに表示する前記関連情報を、前記第１のファイルとは異なる第２の前記ファイルに基づいた前記関連情報に変更する電子機器の制御方法。
１４−４．  １４から１４−３のいずれかに記載の電子機器の制御方法において、
前記関連情報表示工程では、
前記受付工程で前記第１の起動用オブジェクトに対する第１の方向の前記めくる操作を受付けた場合、第１の前記関連情報を表示し、
前記受付工程で前記第１の起動用オブジェクトに対する前記第１の方向と異なる第２の方向の前記めくる操作を受付けた場合、前記第１の関連情報と異なる第２の前記関連情報を表示する電子機器の性行方法。
１４−５．  １４から１４−４のいずれかに記載の電子機器の制御方法において、
前記受付工程で前記第１の起動用オブジェクトに対する所定の方向の前記めくる操作を受付けると、前記関連情報表示工程では、前記第１のアプリケーションに関連する複数の関連情報を、前記タッチパネルに一覧表示する電子機器の制御方法。
１４−６．  １４から１４−５のいずれかに記載の電子機器の制御方法において、
前記関連情報表示工程では、前記受付工程で前記めくる操作を受付けると、前記タッチパネル上に前記第１の起動用オブジェクトと共に表示されている他の前記起動用オブジェクトを特定し、特定した内容に基づいて、前記タッチパネルに表示する前記関連情報を決定する電子機器の制御方法。
１４−７．  １４−６に記載の電子機器の制御方法において、
前記関連情報表示工程では、前記第１の起動用オブジェクトと、前記他の起動用オブジェクトとを識別可能な前記関連情報を、前記タッチパネルに表示するよう決定する電子機器の制御方法。
１４−８．  １４から１４−７のいずれかに記載の電子機器の制御方法において、
前記関連情報表示工程では、前記第１のアプリケーションに関連する複数の前記関連情報を階層構造化し、前記受付工程で前記めくる操作を受付けると、以下の（１）及び（２）のルールに従い前記階層構造内を移動した後の前記関連情報を特定し、特定した前記関連情報を前記タッチパネルに表示する電子機器の制御方法。
（１）前記階層構造の中の所定の位置を初期位置とする。
（２）前記初期位置から、前記めくる操作のスライド方向に応じた所定の方向に移動する。
１４−９．  １４−８に記載の電子機器の制御方法において、
前記関連情報表示工程では、複数の前記関連情報を複数のグループに分類することで複数の前記関連情報を階層構造化し、前記受付工程で前記めくる操作を受付けると、さらに以下の（３）及び（４）のルールに従い前記階層構造内を移動した後の前記関連情報を特定し、特定した前記関連情報を前記タッチパネルに表示する電子機器の制御方法。
（３）前記受付工程で第３の方向の前記めくる操作を受付けた場合、前記グループ間を移動する。
（４）前記受付工程で前記第３の方向と異なる第４の方向の前記めくる操作を受付けた場合、前記グループ内を移動する。
１４−１０．  １４−９に記載の電子機器の制御方法において、
前記アプリケーションは、ユーザから受付けた入力内容をファイル単位で保存可能であり、
前記関連情報表示工程では、前記ファイルの前記入力内容及び／又は属性情報に基づいて生成される複数の前記関連情報を前記ファイル単位でグループ化することで複数の前記関連情報を階層構造化する電子機器の制御方法。
１４−１１．  １４から１４−１０のいずれかに記載の電子機器の制御方法において、
前記起動用オブジェクトに対する前記起動操作を受付けると、当該起動用オブジェクトに対応する前記アプリケーションを起動させるアプリケーション管理工程をさらに実行し、
前記アプリケーション管理工程では、前記第１のアプリケーションに関連する前記関連情報が前記タッチパネルに表示されている状態で、前記第１の起動用オブジェクトに対する前記起動操作を受付けると、前記タッチパネルに表示されている前記関連情報に関係する部分にフォーカスをあてた状態で、前記第１のアプリケーションを起動する電子機器の制御方法。
１４−１２．  １４−１０に従属する１４−１１に記載の電子機器の制御方法において、
前記アプリケーション管理工程では、前記第１のアプリケーションの第１の前記ファイルに関連する前記関連情報が前記タッチパネルに表示されている状態で、前記第１の起動用オブジェクトに対する前記起動操作を受付けると、前記第１のファイルを開いた状態で前記第１のアプリケーションを起動する電子機器の制御方法。
１４−１３．  １４から１４−１２のいずれかに記載の電子機器の制御方法において、
前記関連情報表示工程では、前記受付工程でタッチ位置を所定の距離以上スライドさせる前記めくる操作を受付けると、前記タッチパネルに表示されているすべての前記起動用オブジェクトに対応する複数の前記アプリケーションに関連する前記関連情報を、前記タッチパネルに表示する電子機器の制御方法。
１５．  タッチパネルを有する電子機器のコンピュータを、
アプリケーションを起動させるための起動操作の対象となる起動用オブジェクトを前記タッチパネルに表示する起動用オブジェクト表示手段、
前記起動用オブジェクト上でタッチ位置を所定の方向にスライドさせるタッチ操作であって、前記起動操作とは異なるタッチ操作であるめくる操作を受付ける受付手段、
前記受付手段が第１の前記アプリケーションに対応する第１の前記起動用オブジェクトに対する前記めくる操作を受付けると、前記第１のアプリケーションに関連する関連情報を前記タッチパネルに表示する関連情報表示手段、
として機能させるためのプログラム。
１５−２．  １５に記載のプログラムにおいて、
前記第１のアプリケーションに関連する前記関連情報が前記タッチパネルに表示されている状態で、前記受付手段が前記第１の起動用オブジェクトに対する前記めくる操作を受付けると、
前記関連情報表示手段に、それに応じて、前記タッチパネルに表示する前記関連情報を、前記第１のアプリケーションに関連する他の前記関連情報に変更させるプログラム。
１５−３．  １５−２に記載のプログラムにおいて、
前記アプリケーションは、ユーザから受付けた入力内容をファイル単位で保存可能であり、
前記関連情報表示手段に、前記ファイルの前記入力内容及び／又は属性情報に基づいて生成される複数の前記関連情報を前記タッチパネルに表示させ、
前記第１のファイルに基づいた前記関連情報が前記タッチパネルに表示されている状態で、前記受付手段が前記第１の起動用オブジェクトに対する前記めくる操作を受付けると、前記関連情報表示手段に、それに応じて、前記タッチパネルに表示する前記関連情報を、前記第１のファイルとは異なる第２の前記ファイルに基づいた前記関連情報に変更させるプログラム。
１５−４．  １５から１５−３のいずれかに記載のプログラムにおいて、
前記関連情報表示手段に、
前記受付手段が前記第１の起動用オブジェクトに対する第１の方向の前記めくる操作を受付けた場合、第１の前記関連情報を表示させ、
前記受付手段が前記第１の起動用オブジェクトに対する前記第１の方向と異なる第２の方向の前記めくる操作を受付けた場合、前記第１の関連情報と異なる第２の前記関連情報を表示させるプログラム。
１５−５．  １５から１５−４のいずれかに記載のプログラムにおいて、
前記受付手段が前記第１の起動用オブジェクトに対する所定の方向の前記めくる操作を受付けると、前記関連情報表示手段に、前記第１のアプリケーションに関連する複数の関連情報を、前記タッチパネルに一覧表示させるプログラム。
１５−６．  １５から１５−５のいずれかに記載のプログラムにおいて、
前記関連情報表示手段に、前記受付手段が前記めくる操作を受付けると、前記タッチパネル上に前記第１の起動用オブジェクトと共に表示されている他の前記起動用オブジェクトを特定させ、特定した内容に基づいて、前記タッチパネルに表示する前記関連情報を決定させるプログラム。
１５−７．  １５−６に記載のプログラムにおいて、
前記関連情報表示手段に、前記第１の起動用オブジェクトと、前記他の起動用オブジェクトとを識別可能な前記関連情報を、前記タッチパネルに表示するよう決定させるプログラム。
１５−８．  １５から１５−７のいずれかに記載のプログラムにおいて、
前記関連情報表示手段に、前記第１のアプリケーションに関連する複数の前記関連情報を階層構造化させ、前記受付手段が前記めくる操作を受付けると、以下の（１）及び（２）のルールに従い前記階層構造内を移動した後の前記関連情報を特定させ、特定した前記関連情報を前記タッチパネルに表示させるプログラム。
（１）前記階層構造の中の所定の位置を初期位置とする。
（２）前記初期位置から、前記めくる操作のスライド方向に応じた所定の方向に移動する。
１５−９．  １５−８に記載のプログラムにおいて、
前記関連情報表示手段に、複数の前記関連情報を複数のグループに分類することで複数の前記関連情報を階層構造化させ、前記受付手段が前記めくる操作を受付けると、さらに以下の（３）及び（４）のルールに従い前記階層構造内を移動した後の前記関連情報を特定させ、特定した前記関連情報を前記タッチパネルに表示させるプログラム。
（３）前記受付手段が第３の方向の前記めくる操作を受付けた場合、前記グループ間を移動する。
（４）前記受付手段が前記第３の方向と異なる第４の方向の前記めくる操作を受付けた場合、前記グループ内を移動する。
１５−１０．  １５−９に記載のプログラムにおいて、
前記アプリケーションは、ユーザから受付けた入力内容をファイル単位で保存可能であり、
前記関連情報表示手段に、前記ファイルの前記入力内容及び／又は属性情報に基づいて生成される複数の前記関連情報を前記ファイル単位でグループ化することで複数の前記関連情報を階層構造化させるプログラム。
１５−１１．  １５から１５−１０のいずれかに記載のプログラムにおいて、
前記コンピュータを、前記起動用オブジェクトに対する前記起動操作を受付けると、当該起動用オブジェクトに対応する前記アプリケーションを起動させるアプリケーション管理手段としてさらに機能させ、
前記アプリケーション管理手段に、前記第１のアプリケーションに関連する前記関連情報が前記タッチパネルに表示されている状態で、前記第１の起動用オブジェクトに対する前記起動操作を受付けると、前記タッチパネルに表示されている前記関連情報に関係する部分にフォーカスをあてた状態で、前記第１のアプリケーションを起動させるプログラム。
１５−１２．  １５−１０に従属する１５−１１に記載のプログラムにおいて、
前記アプリケーション管理手段に、前記第１のアプリケーションの第１の前記ファイルに関連する前記関連情報が前記タッチパネルに表示されている状態で、前記第１の起動用オブジェクトに対する前記起動操作を受付けると、前記第１のファイルを開いた状態で前記第１のアプリケーションを起動させるプログラム。
１５−１３．  １５から１５−１２のいずれかに記載のプログラムにおいて、
前記関連情報表示手段に、前記受付手段がタッチ位置を所定の距離以上スライドさせる前記めくる操作を受付けると、前記タッチパネルに表示されているすべての前記起動用オブジェクトに対応する複数の前記アプリケーションに関連する前記関連情報を、前記タッチパネルに表示させるプログラム。
【符号の説明】
【０１１４】
１Ａ    ＣＰＵ
２Ａ    ＲＡＭ
３Ａ    ＲＯＭ
４Ａ    表示制御部
５Ａ    第１操作受付部
６Ａ    タッチパネル
７Ａ    第２操作受付部
８Ａ    操作部
９Ａ    補助記憶部
１０Ａ  バス
１０    電子機器
１１    タッチパネル
１２    起動用オブジェクト表示部
１３    受付部
１４    関連情報表示部
１５    アプリケーション管理部
１６    アプリケーション部
【図１】
2015049684.tif 000003
【図２】
2015049684.tif 000004
【図３】
2015049684.tif 000005
【図４】
2015049684.tif 000006
【図５】
2015049684.tif 000007
【図６】
2015049684.tif 000008
【図７】
2015049684.tif 000009
【図８】
2015049684.tif 000010
【図９】
2015049684.tif 000011
【図１０】
2015049684.tif 000012
【図１１】
2015049684.tif 000013
【図１２】
2015049684.tif 000014
【図１３】
2015049684.tif 000015
【図１４】
2015049684.tif 000016
【図１５】
2015049684.tif 000017
【図１６】
2015049684.tif 000018